(57)【要約】【課題】プレート子機のオプション端子に接続される機器のうち、例えばマットセンサのような患者の状態を把握するような重要機器である場合にのみ、脱落・断線した場合に看護師に通知をおこなうことナースコールシステムを提供する。【解決手段】ナースコールシステムにおいて、プレート子機は、用途に応じて種々の機器を接続可能とするためのオプション接続部を備え、オプション接続部に接続された機器が、あらかじめ定められた機器か否かを判別する機器判別部と、機器判別部で判別した機器が脱落・断線警報の出力対象であるか否かを判別する脱落・断線警報対象判別部と、を備え、機器が脱落・断線したとき、当該脱落・断線警報対象判別部が対象であると判別した場合にはナースコール親機、廊下灯のうち少なくとも一つで警報発報することを特徴とする。【選択図】図１
2018166825.tif 000002
【特許請求の範囲】
【請求項１】
ナースステーションに設置され、患者からの呼出に応答するためのナースコール親機と、患者が看護師を呼ぶためのナースコール子機と、当該ナースコールが接続されるプレート子機と、プレート子機が接続され、前記ナースコール子機からの呼出があると廊下にて報知するための廊下灯と、各機器を制御するための制御機とから構成されるナースコールシステムであって、
プレート子機は、用途に応じて種々の機器を接続可能とするためのオプション接続部を備え、
前記オプション接続部に接続された機器が、あらかじめ定められた機器か否かを判別する機器判別部と、機器判別部で判別した機器が脱落・断線警報の出力対象であるか否かを判別する脱落・断線警報対象判別部と、を備え、
前記機器が脱落・断線したとき、当該脱落・断線警報対象判別部が対象であると判別した場合には前記ナースコール親機、前記廊下灯のうち少なくとも一つで警報発報することを特徴とするナースコールシステム。
【請求項２】
ナースステーションに設置され、患者からの呼出に応答するためのナースコール親機と、患者が看護師を呼ぶためのナースコール子機と、当該ナースコールが接続されるプレート子機と、プレート子機が接続され、前記ナースコール子機からの呼出があると廊下にて報知するための廊下灯と、各機器を制御するための制御機とから構成されるナースコールシステムであって、
プレート子機は、用途に応じて種々の機器を接続可能とするためのオプション接続部を備え、
前記オプション接続部に接続された後、脱落・断線警報の出力対象とするための脱落・断線警報対象設定部と、を備え、
前記機器が脱落・断線したとき、当該脱落・断線警報対象設定部で設定されたプレート子機である場合には前記ナースコール親機、前記廊下灯のうち少なくとも一つで警報発報することを特徴とするナースコールシステム。
【請求項３】
前記ナースコール親機は、脱落・断線警報をおこなうことができるプレート子機をあらかじめ選択設定可能とすることを特徴とする請求項１又は請求項２記載のナースコールシステム。
【請求項４】
前記看護師が携行する携帯端末が通信可能に接続され、
前記脱落・断線警報を当該携帯端末にて発報する制御をおこなうことを特徴とする請求項１乃至請求項３何れか１項記載のナースコールシステム。
【請求項５】
前記看護師が携行する携帯端末が通信可能に接続され、
前記携帯端末は、脱落・断線警報をおこなうことができるプレート子機をあらかじめ選択設定可能とすることを特徴とする請求項１又は請求項２記載のナースコールシステム。
【請求項６】
前記前記脱落・断線警報対象設定部を操作したとき、前記ナースコール親機又は前記携帯端末で脱落・断線警報をおこなうことができるプレート子機ではない場合には、プレート子機又はナースコール子機から設定不可警報を出力することを特徴とする請求項３又は請求項５記載何れか１項記載のナースコールシステム。
【請求項７】
前記脱落・断線警報対象判別部が接続された機器が脱落・断線警報の出力対象であると判別したとき、前記ナースコール親機又は前記携帯端末で脱落・断線警報をおこなうことができるプレート子機ではない場合には、プレート子機又はナースコール子機から設定不可警報を出力することを特徴とする請求項３又は請求項５記載何れか１項記載のナースコールシステム。
【請求項８】
前記設定不可警報が出力されるプレート子機について、前記ナースコール親機、前記廊下灯のうち少なくとも一つで警報報知をおこなうことを特徴とする請求項６又は請求項７何れか１項記載のナースコールシステム。
【発明の詳細な説明】
【技術分野】
【０００１】
本発明はナースコールシステムにおいて、プレート子機のオプション入力端子に接続される外部機器の中で特定の外部機器に対してのみ脱落・断線警報を発報することができるナースコールシステムに関するものである。
【背景技術】
【０００２】
従来のナースコールシステムでは、プレート子機に接続されるナースコール子機が脱落・断線するとナースコール親機や看護師が携行する携帯端末に警報を出して注意喚起をしていた。これにより、ナースコール子機が脱落してしまった場合であっても、速やかに看護師に通知することができるので、患者のもとへかけつけて対処することが可能となり、患者が看護師を呼び出すことができなくなるような事態を防ぐことができる。
【先行技術文献】
【特許文献】
【０００３】
【特許文献１】特開２０１４−１１０８４９号公報
【発明の概要】
【発明が解決しようとする課題】
【０００４】
しかし、ナースコール子機が接続されるプレート子機には脱落・断線機能を備えていても、定格の機器であれば接続可能としているプレート子機のオプション端子については脱落・断線機能を備えてない。従って、オプション端子に接続された機器が脱落・断線しても看護師に通知されることがなく、看護師は当該機器が使用できない状態であることを把握することができない。仮に、同じように脱落・断線機能をつけると、接続機器に関係なく全て脱落・断線警報を通知してしまうので、外部機器の重要度に関係なく通知がなされ、かえって煩わしいものになってしまうという問題点があった。
本発明は、上述の難点を解消するためになされたもので、プレート子機のオプション端子に接続される機器のうち、例えばマットセンサのような患者の状態を把握するような重要機器である場合にのみ、脱落・断線したことを看護師に通知することができるナースコールシステムを提供することを目的とする。
【課題を解決するための手段】
【０００５】
本発明は、ナースステーションに設置され、患者からの呼出に応答するためのナースコール親機と、患者が看護師を呼ぶためのナースコール子機と、当該ナースコールが接続されるプレート子機と、プレート子機が接続され、ナースコール子機からの呼出があると廊下にて報知するための廊下灯と、各機器を制御するための制御機とから構成されるナースコールシステムであって、プレート子機は、用途に応じて種々の機器を接続可能とするためのオプション接続部を備え、オプション接続部に接続された機器が、あらかじめ定められた機器か否かを判別する機器判別部と、機器判別部で判別した機器が脱落・断線警報の出力対象であるか否かを判別する脱落・断線警報対象判別部と、を備え、機器が脱落・断線したとき、当該脱落・断線警報対象判別部が対象であると判別した場合にはナースコール親機、廊下灯のうち少なくとも一つで警報発報することを特徴とする。
【０００６】
また、ナースステーションに設置され、患者からの呼出に応答するためのナースコール親機と、患者が看護師を呼ぶためのナースコール子機と、当該ナースコールが接続されるプレート子機と、プレート子機が接続され、ナースコール子機からの呼出があると廊下にて報知するための廊下灯と、各機器を制御するための制御機とから構成されるナースコールシステムであって、プレート子機は、用途に応じて種々の機器を接続可能とするためのオプション接続部を備え、オプション接続部に接続された後、脱落・断線警報の出力対象とするための脱落・断線警報対象設定部と、を備え、
機器が脱落・断線したとき、当該脱落・断線警報対象設定部で設定されたプレート子機である場合にはナースコール親機、廊下灯のうち少なくとも一つで警報発報することを特徴とする。
【０００７】
また、請求項１又は請求項２において、ナースコール親機は、脱落・断線警報をおこなうことができるプレート子機をあらかじめ選択設定可能とすることを特徴とする。
また、請求項１乃至請求項３何れかにおいて、看護師が携行する携帯端末が通信可能に接続され、脱落・断線警報を当該携帯端末にて発報する制御をおこなうことを特徴とする。
また、請求項１又は請求項２において、看護師が携行する携帯端末が通信可能に接続され、携帯端末は、脱落・断線警報をおこなうことができるプレート子機をあらかじめ選択設定可能とすることを特徴とする。
【０００８】
また、求項３又は請求項５において、脱落・断線警報対象設定部を操作したとき、ナースコール親機又は携帯端末で脱落・断線警報をおこなうことができるプレート子機ではない場合には、プレート子機又はナースコール子機から設定不可警報を出力することを特徴とする。
また、請求項３又は請求項５において、脱落・断線警報対象判別部が接続された機器が脱落・断線警報の出力対象であると判別したとき、ナースコール親機又は携帯端末で脱落・断線警報をおこなうことができるプレート子機ではない場合には、プレート子機又はナースコール子機から設定不可警報を出力することを特徴とする。
また、請求項６又は請求項７において、設定不可警報が出力されるプレート子機について、ナースコール親機、廊下灯のうち少なくとも一つで警報報知をおこなうことを特徴とする。
【発明の効果】
【０００９】
本発明のナースコールシステムによれば、プレート子機のオプション端子に接続される機器であっても、例えばマットセンサのような患者の状態を把握するような重要機器である場合には、脱落・断線したときに看護師に通知をおこなうことを可能とした。また、重要機器でない場合には看護師に通知はなされないので不要な呼出を防ぐことができる。
【図面の簡単な説明】
【００１０】
【図１】図１は、本発明のナースコールシステムの構成図である。
【図２】図２は、本発明のナースコールシステムにおけるプレート子機のブロック図である。
【発明を実施するための形態】
【００１１】
図１は、本発明のナースコールシステムの構成図である。
ナースコールシステムは、ナースステーションに設置され、患者からの呼出に応答するためのナースコール親機１と、患者名が表記され、患者からの呼出を報知するための廊下灯２と、患者が看護師を呼ぶためのナースコール子機３と、当該ナースコールが接続されるプレート子機４と、各機器を制御するための制御機５と、看護師が携行するスマートホン等の携帯端末８と通信するための交換機６及び基地局７と、患者情報を管理する管理パソコン９、各機器を接続するためのＨＵＢ１０とから構成されている。
【００１２】
図２は、プレート子機４のブロック図である。
握りボタンやハンド子機等のナースコール子機３を接続するためのナースコール子機接続部４１と、マットセンサや、大型呼出ボタン等の外部機器１１を接続するためのオプション接続部４２と、緊急呼出時等に呼出状態を復旧するための復旧ボタン４３と、各機器と通信をおこなうための通信ＩＦ４４と、各部を制御するためのプレート子機ＣＰＵ４５とを備えている。また、復旧ボタン４３は脱落・断線警報対象設定部４３１を兼ねている。また、プレート子機ＣＰＵ４５は、外部機器１１の種別を判別する機器判別部４５１、外部機器に応じて脱落・断線警報の対象であるか否かを判別する脱落・断線警報対象判別部４５２を有している。
【００１３】
このように構成されたナースコールシステムについて、以下、動作を説明する。
まず、ナースコールシステムを使って、患者が看護師を呼び出す従来の動作について簡単に説明する。
患者は看護師を呼び出すためにナースコール子機３を操作すると、呼出信号がプレート子機４、廊下灯２を介して制御機５に送信される。このとき廊下灯２では、呼出報知のために画面に患者情報が表示されるとともに、廊下灯２の図示しないＬＥＤが点滅して呼出がある旨が表示される。
制御機５は、ナースコール親機１及び交換機６、基地局７を介して担当看護師が携行している携帯端末８を呼び出す制御をおこなう。ナースコール親機１、携帯端末８の呼出報知画面には患者情報が表示され、どちらかで応答する。
これにより、看護師は、患者のもとにかけつけて処置をするなどをおこなうことができるし、各表示部の患者情報を確認することにより、適切な処置をおこなうことができる。
【００１４】
また、ナースコール子機３がプレート子機４のナースコール子機接続部４１から脱落した状態になると、プレート子機ＣＰＵ４５がこれを検知し、呼出信号と同様の経路で脱落・断線警報がおこなわれ、看護師がどこで脱落したのかを確認することができ、患者のもとへ向かって、適切な対処をおこなうことができるように構成されている。
次に、オプション接続部４２に外部機器５を接続する場合について詳述する。
まず、ナースコール親機１では、配下に接続されているプレート子機４のうち、オプション接続部４２での脱落・断線を検出したときに発報する対象を選択する。具体的には図示しない、ナースコール親機１のタッチパネル画面の患者表示部をタッチ操作して対象である設定をおこなう。これを制御機５が当該設定状態を記憶する。
【００１５】
また、レート子機４の脱落・断線警報対象判別部４５２には、脱落・断線したときに警報発報する対象機器１１をあらかじめ記憶する。ここではマットセンサであれば、警報発報対象であり、大型呼出ボタンであれば警報発報対象外であると記憶している。
この設定は看護師が携行する携帯端末８でも設定することができる。
なお、本設定は必須ではなく、設定がない場合には全プレート子機のオプション接続部４２が脱落・断線警報報知が可能である状態となる。
【００１６】
また、プレート子機４の機器判別部４５１は、接続したときに機器ごとにことなる抵抗値をあらかじめ記憶していることで、何の機器が接続されているのかを判別することができる構成となっている。
ここで、看護師が、脱落・断線警報報知の対象であるプレート子機４に外部機器１１としてマットセンサを接続すると、オプション接続部４２を介してプレート子機ＣＰＵ４５が接続を認識し、機器判別部４５１が外部機器５はマットセンサであることを認識する。  
【００１７】
ここで、誤ってマットセンサが脱落すると、プレート子機ＣＰＵ４５がこれを検出する。脱落・断線警報対象判別部４５２が警報発報対象の機器であることを判別し、呼出信号と同様の経路を介して制御機５に送信され、ナースコール親機１や携帯端末８で警報発報がなされ、看護師がその内容を確認することができる。なお、廊下灯２でも通常の呼出と同様に警報報知がなされる。
上記実施例において、機器判別部４５１により接続される外部機器１１の種別を判別し、その外部機器１１が脱落・断線警報対象判別部４５２で警報発報対象機器か否かを判別していたが、次のように動作させることもできる。
即ち、プレート子機４のオプション接続部４２に外部機器１１としてマットセンサを接続すると、当該外部機器は脱落・断線警報をおこないたいと考えたときには、復旧ボタン（脱落・断線警報対象設定部４３１）４３を長押しすることでセットする。この設定情報はプレート子機ＣＰＵ４５にて記憶される。
【００１８】
ここで、オプション接続部４２からマットセンサが脱落すると、これを検出したプレート子機ＣＰＵ４５が呼出信号と同様の経路を介して制御機５に通知する。その後の動作は同様であるので省略する。
なお、プレート子機４がナースコール親機１や携帯端末８で、オプション接続部４２での脱落・断線を検出したときに発報する対象ではないときに、復旧ボタン（脱落・断線警報対象設定部４３１）４３を長押しすると、プレート子機ＣＰＵ４５がこれを検出して、プレート子機又はナースコール子機から設定不可警報を出力する制御をおこなう。
【００１９】
これにより、看護師は、当該プレート子機４では脱落・断線警報を出力させることができないことを把握することができる。
この警報は機器判別部４５１及び脱落・断線警報対象判別部４５２を用いた設定の場合でも同様に警報を出すことが可能である。
なお、この設定不可警報が出力されたプレート子機について、ナースコール親機１、廊下灯２のうち少なくとも一つで警報報知をおこなうことができる。すなわち、ナースコール親機１又は廊下灯２の図示しない患者情報表示部にアイコン等で通知することで、ナースステーションの看護師や病室に赴いた看護師も状態を把握することが可能となる。
なお、上記実施例において、各種設定の記憶はプレート子機４や制御機５で記憶しているが、どこで記憶していても同様の効果を奏する。即ち、廊下灯２で記憶していてもいいし、ナースコール親機１で記憶していてもよい。
【符号の説明】
【００２０】
１                    ナースコール親機
２                    廊下灯
３                    ナースコール子機
４                    プレート子機
４１                  ナースコール子機接続部
４２                  オプション接続部
４３                  復旧ボタン（４３１  脱落・断線警報対象設定部）
４５                  プレート子機ＣＰＵ
４５１                           機器判別部
４５２                           脱落・断線警報対象判別部
【図１】
2018166825.tif 000003
【図２】
2018166825.tif 000004